(57)【要約】【課題】防水膜の破損を抑制することのできる防水構造及び電子機器を提供する。【解決手段】カメラ１において、開口部１５０を有するカメラ本体１００と、カメラ本体１００の開口部１５０を閉じるように設けられる防水膜１４０と、防水膜１４０の直上に設けられ、防水膜１４０にかかる流体の噴流による動圧を低減する減圧部１３１と、を備える。【選択図】図７
2019054410.tif 000002
【特許請求の範囲】
【請求項１】
開口部を有する外部ケースと、
前記外部ケースの前記開口部を閉じるように設けられる防水膜と、
前記防水膜の直上に設けられ、前記防水膜にかかる流体の噴流による動圧を低減する減圧部と、
を備えることを特徴とする防水構造。
【請求項２】
前記減圧部は、
スリットが形成された底板部を備えることを特徴とする請求項１に記載の防水構造。
【請求項３】
前記減圧部は、
前記スリットの真上に配設され、前記スリットを遮る部材を備えることを特徴とする請求項２に記載の防水構造。
【請求項４】
前記スリットを遮る部材は、複数の櫛歯により構成される部材であることを特徴とする請求項３に記載の防水構造。
【請求項５】
前記減圧部は、
隣り合う前記櫛歯により形成される各隙間の真上に、前記各隙間を遮る複数の櫛歯により構成される部材をさらに備えることを特徴とする請求項４に記載の防水構造。
【請求項６】
前記スリットを遮る部材は、格子状の部材であることを特徴とする請求項３に記載の防水構造。
【請求項７】
前記スリットを遮る部材は、前記減圧部の側方から互い違いとなるように配設された複数の平板部材であることを特徴とする請求項３に記載の防水構造。
【請求項８】
前記減圧部は、
前記防水膜の垂線方向と直角をなす方向に、前記スリットに連設する開口部を備えることを特徴とする請求項２に記載の防水構造。
【請求項９】
前記外部ケースを覆う保護部材をさらに備えることを特徴とする請求項１〜８のいずれか一項に記載の防水構造。
【請求項１０】
請求項１〜９のいずれか一項に記載の防水構造を備えることを特徴とする電子機器。
【請求項１１】
前記防水膜を介して前記減圧部が設けられる側とは反対側にスピーカを備えることを特徴とする請求項１０に記載の電子機器。
【請求項１２】
前記外部ケースを覆う保護部材を備え、
前記保護部材には、前記スピーカからの音を外部へ通す貫通孔が形成されていることを特徴とする請求項１１に記載の電子機器。
【請求項１３】
前記保護部材は、第１の材料で形成される第１の部材と、前記第１の材料よりも剛性の高い第２の材料で形成される第２の部材と、を備え、
前記第１の部材は、当該電子機器の外側に設けられ、
前記第２の部材は、前記第１の部材の内側に設けられ、
前記貫通孔は、前記第２の部材の前記第１の部材により覆われている面と前記第１の部材により覆われていない面とを貫通するように穿設されている、
ことを特徴とする請求項１２に記載の電子機器。
【発明の詳細な説明】
【技術分野】
【０００１】
本発明は、防水構造及び電子機器に関する。
【背景技術】
【０００２】
従来、スピーカに対して筐体に形成された１以上の開口を防水被覆する場合に、部品点数の増加と音の歪の増加との少なくとも一方を抑制し得る被覆ユニットを備えた電子機器が提案されている（例えば、特許文献１参照）。
【先行技術文献】
【特許文献】
【０００３】
【特許文献１】特開２０１２−１１４７４７号公報
【発明の概要】
【発明が解決しようとする課題】
【０００４】
しかしながら、上記特許文献１に開示されている電子機器では、波等による動圧が生じた場合、防水膜への動圧により、防水膜が破損してしまうおそれがある。
【０００５】
本発明は、このような問題に鑑みてなされたものであり、防水膜への動圧を低減し、防水膜の破損を抑制することのできる防水構造及び電子機器を提供することを目的とする。
【課題を解決するための手段】
【０００６】
上記課題を解決するため、本発明の防水構造は、
開口部を有する外部ケースと、
前記外部ケースの前記開口部を閉じるように設けられる防水膜と、
前記防水膜の直上に設けられ、前記防水膜にかかる流体の噴流による動圧を低減する減圧部と、
を備えることを特徴とする。
【発明の効果】
【０００７】
本発明によれば、防水膜の破損を抑制することができる。
【図面の簡単な説明】
【０００８】
【図１】本発明を適用した撮像装置の一実施形態の構成であるカメラを示す平面図である。
【図２】保護部材を分解した状態のカメラを示す分解斜視図である。
【図３】図１の矢視Ａの方向から見た断面図である。
【図４】図１の矢視Ｂの方向から見た断面図である。
【図５】外側保護部材を取り外した状態のカメラを示す平面図である。
【図６】（ａ）はバンパーインナーの斜視図であり、（ｂ）はバンパーインナーの側面図であり、（ｃ）は（ｂ）の矢視Ｄの方向から見た断面図である。
【図７】図３の領域Ｘを示す部分拡大図である。
【図８】図４の領域Ｙを示す部分拡大図である。
【図９】押さえ部材を示す平面図である。
【図１０】押さえ部材を取り外した状態のカメラ本体を示す平面図である。
【図１１】図５の矢視Ｃの方向から見た断面斜視図である。
【図１２】図９の矢視Ｅの方向から見た断面斜視図である。
【図１３】収納部を構成する蓋を示す底面図である。
【図１４】蓋の縦断面を示す断面図である。
【図１５】蓋を取り外した状態の収納部（筐体）を示す平面図である。
【図１６】通常状態の収納部の部分断面図である。
【図１７】収納部の外部に比べて内部の圧力が高まった状態の収納部の部分断面図である。
【発明を実施するための形態】
【０００９】
以下に、本発明について、図面を用いて具体的な態様を説明する。ただし、発明の範囲は、図示例に限定されない。
【００１０】
図１は、本発明を適用した撮像装置（電子機器）の一実施形態の構成であるカメラ１を示す平面図である。
カメラ１は、アウトドアやエクストリームスポーツと呼ばれる過激な動きのあるスポーツが行われる環境で使用されることを目的として設計・製造されたカメラである。このため、図１に示すように、カメラ１には、カメラ本体１００の外装部品を保護するための保護部材２００が設けられている。
【００１１】
図２は、保護部材２００を分解した状態のカメラ１を示す分解斜視図である。
図２に示すように、カメラ１は、大きく分けると、カメラ本体（外部ケース）１００と、保護部材２００とによって構成されている。保護部材２００は、外側保護部材２１０と、内側保護部材２２０とを備えている。
【００１２】
外側保護部材２１０は、カメラ本体１００の外装部品（例えば、レンズカバー１１０やボタン１２０など）に対して付与される衝撃を吸収するための部材であり、例えば、衝撃吸収性を有するウレタンなどの材料によって構成されている。
【００１３】
外側保護部材２１０は、開口型の略円筒形状をなしており、主にカメラ本体１００の側面を保護する。また、外側保護部材２１０は、図１及び図２に示すように、一方（正面側）の開口端部の縁上であって、図１のＢ−Ｂ線を軸として線対称となる位置に一対の第１バンパー部（第１の部材）２１１，２１１が延設されるとともに、図１のＡ−Ａ線を軸として線対称となる位置に一対の第２バンパー部２１２，２１２が延設されている。また、外側保護部材２１０は、上記開口端部の縁上であって、互いに隣り合う第１バンパー部２１１と第２バンパー部２１２との間にそれぞれネジ止め部２１３が延設されている。
【００１４】
図３は、図１の矢視Ａの方向から見た断面図である。
図３に示すように、第１バンパー部２１１は、レンズカバー１１０に対して付与される衝撃を吸収するために設けられたバンパーであり、外側保護部材２１０の一方（正面側）の開口端部の縁上からレンズカバー１１０の側に傾倒するようにして設けられている。ここで、レンズカバー１１０は、カメラ本体１００に搭載されている超広角レンズ（全天周レンズ）１８０を保護するためのレンズカバーであり、半球形状をなす透明な部材で構成されている。
【００１５】
図４は、図１の矢視Ｂの方向から見た断面図である。
図４に示すように、第２バンパー部２１２は、第２バンパー部２１２の下方に設けられている防水膜１４０（後述）に対して付与される衝撃を吸収するために設けられたバンパーであり、第１バンパー部２１１と同様に、外側保護部材２１０の一方（正面側）の開口端部の縁上からレンズカバー１１０の側に傾倒するようにして設けられている。ただし、第２バンパー部２１２は、カメラ１の有効撮影画角を遮らないように、第１バンパー部２１１に比べてその高さを抑えて設けられている。
【００１６】
ネジ止め部２１３は、カメラ本体１００に外側保護部材２１０を取り付けるためのネジ止め部であり、第１バンパー部２１１や第２バンパー部２１２と同様に、外側保護部材２１０の一方（正面側）の開口端部の縁上からレンズカバー１１０の側に傾倒するようにして設けられている。ただし、ネジ止め部２１３は、カメラ１の有効撮影画角を遮らないように、第１バンパー部２１１や第２バンパー部２１２に比べてその高さを抑えて設けられている。
【００１７】
内側保護部材２２０は、カメラ１が落下して落下面に衝突した際に、レンズカバー１１０と落下面とが接触することを防止するための部材である。内側保護部材２２０は、外側保護部材２１０を構成する材料（例えば、ウレタン（第１の材料））よりも剛性の高い材料（例えば、ポリカーボネートや金属（第２の材料）など）によって構成されている。
【００１８】
図５は、外側保護部材２１０を取り外した状態のカメラ１を示す平面図である。
図５に示すように、内側保護部材２２０は、孔空き円板形状（環状）のベース部２２１と、２つのバンパーインナー（第２の部材）２２２，２２２とを備えている。
【００１９】
ベース部２２１は、各バンパーインナー２２２を取り付けるためのベース部であり、レンズカバー１１０の外周に設けられている。また、ベース部２２１は、その円板上であって、各第２バンパー部２１２により覆われる位置（図１参照）に、一対のリブ２２１ａ，２２１ａが設けられている。一対のリブ２２１ａ，２２１ａは、図５に示すように、それぞれ平面視略Ｌ字状をなしており、図中において上下対称となるように、且つ、所定の間隔を開けてベース部２２１の円板上に設けられている。このように、一対のリブ２２１ａ，２２１ａを所定の間隔を開けて設けることにより、一定の防水性を保持しつつ、その隙間を介して外部から音を取り込みカメラ本体１００に搭載されているマイクＭにその音を伝えることができるようになっている。
【００２０】
バンパーインナー２２２は、第１バンパー部２１１の芯として機能する部材であり、ベース部２２１の円板上であって、各第１バンパー部２１１により覆われる位置（図１参照）に設けられている。
【００２１】
図６は、バンパーインナー２２２を示す図である。具体的には、図６（ａ）はバンパーインナー２２２の斜視図、同図（ｂ）はバンパーインナー２２２の側面図、同図（ｃ）は同図（ｂ）の矢視Ｄ方向から見た断面図である。
【００２２】
図６（ａ）に示すように、バンパーインナー２２２は、弓なりの形状をなしており、その幅は第１バンパー部２１１の幅と略同一となるように形成されている。また、バンパーインナー２２２は、カメラ１が落下して落下面に衝突した際に、第１バンパー部２１１が落下面に接触して変形した場合であっても、カメラ１の光軸方向において、この第１バンパー部２１１がレンズカバー１１０よりも高いところに位置するように、すなわち、レンズカバー１１０と落下面とが接触しないように、その高さが決められている。また、バンパーインナー２２２は、図６（ｂ），（ｃ）に示すように、その側面に貫通孔（開口部）２２２ａが３つ設けられている。これらの貫通孔２２２ａは、バンパーインナー２２２を介して音を通すための孔である。
【００２３】
次に、カメラ本体１００に搭載されているスピーカＳより出力された音の流れについて、図７を用いて説明する。図７は、図３の領域Ｘを示す部分拡大図である。
図７に示すように、スピーカＳは、第１バンパー部２１１（図１の上側の第１バンパー部２１１）の真下に位置するように設けられており、このスピーカＳから出力された音は、先ず、カメラ本体１００の開口部１５０を通り直上の防水膜１４０（図１０参照）に到達し、防水膜１４０を振動させるようになっている。そして、防水膜１４０の振動により発生した振動音は、後述する押さえ部材１３０の減圧部１３１を通過した後、第１バンパー部２１１とバンパーインナー２２２とにより形成される空間に進入する。そして、この空間に進入した振動音は、バンパーインナー２２２に設けられた貫通孔２２２ａを介して外部に出力されることとなる。また、外部に出力された振動音は、レンズカバー１１０に当ることにより、カメラ１の正面方向に出力されやすくなっている。
【００２４】
次に、カメラ本体１００に搭載されているマイクＭに取り込まれる外部音の流れについて、図８を用いて説明する。図８は、図４の領域Ｙを示す部分拡大図である。
図８に示すように、外部で出力された音は、レンズカバー１１０に当った後、レンズカバー１１０の表面に沿って流れることとなる。そして、レンズカバー１１０の表面に沿って流れてきた音は、第２バンパー部２１２と上述した一対のリブ２２１ａ，２２１ａとによって形成される隙間からカメラ本体１００の内部に進入する。そして、カメラ本体１００の内部に進入した音は、後述する押さえ部材１３０の減圧部１３１を通過した後、防水膜１４０（図１０参照）に到達し、防水膜１４０を振動させることとなる。そして、防水膜１４０の振動により発生した振動音は、カメラ本体１００の開口部１５０を通り、防水膜１４０の真下に設けられているマイクＭに取り込まれることとなる。
【００２５】
次に、カメラ本体１００に備えられている押さえ部材１３０について説明する。押さえ部材１３０は、図７及び図８に示すように、レンズカバー１１０の縁部１１０ａを上側から押さえ付けることにより、この縁部１１０ａの下方に設けられている防水部材（例えば、防水パッキン）１６０を押さえ付けるための部材である。また、押さえ部材１３０は、押さえ部材１３０の下方に配設された防水膜１４０に対して流体の噴流（例えば、波など）が直撃することを抑制するための部材でもある。
【００２６】
図９は、押さえ部材１３０を示す平面図である。図１０は、押さえ部材１３０を取り外した状態のカメラ本体１００を示す平面図である。
図９に示すように、押さえ部材１３０は、孔空き円板形状（環状）をなしており、その孔空き部分にレンズカバー１１０を嵌め込むことができるようになっている。また、押さえ部材１３０は、その円板上に３つの減圧部１３１を有している。各減圧部１３１は、上述のように、押さえ部材１３０の下方に配設された防水膜１４０に対して流体の噴流（例えば、波など）が直撃することを抑制する部分であり、図１０に示すように、カメラ本体１００に備えられた防水膜１４０を覆うことのできる位置に設けられている。
【００２７】
次に、減圧部１３１の構造について、図９、図１１及び図１２を用いて説明する。なお、各減圧部１３１はいずれも同様の構造を有しているため、図９に示す各減圧部１３１のうちの右側に配設されている減圧部１３１を代表して説明する。図１１は、図５の矢視Ｃの方向から見た断面斜視図である。図１２は、図９の矢視Ｅの方向から見た断面斜視図である。
【００２８】
図９に示すように、減圧部１３１は、底板部１３１ａと、底板部１３１ａを囲む囲い壁部１３１ｂと、複数の櫛歯１３１ｃとで構成されている。図１１に示すように、底板部１３１ａには、複数（例えば、５つ）のスリット１３１ａ１が形成されており、各スリット１３１ａ１の真上には、鉤状の櫛歯１３１ｃ（図１２参照）がそれぞれ配設されている。また、囲い壁部１３１ｂのうちの底板部１３１ａの両側に垂設された囲い壁部１３１ｂには、押さえ部材１３０の表面側から裏面側へ流体を案内するための開口部１３１ｂ１がそれぞれ形成されている。このため、図９に示すように、真上から減圧部１３１を見た場合、各スリット１３１ａ１（図１１参照）は櫛歯１３１ｃによって遮られた状態となっている。つまり、減圧部１３１の上方から流体の噴流が発生した場合、この噴流はまず櫛歯１３１ｃの天面に当たり動圧が分散されることとなるので、防水膜１４０に到達する前に噴流の流速を減少させることができるようになっている。これにより、防水膜１４０に流体が当たることで発生する圧力を減少させることができるようになっている。
【００２９】
次に、カメラ本体１００の底面（図２〜図４参照）に設けられた、二次電池Ｂ等を収納するための収納部１７０の構造について、図１３〜図１７を用いて説明する。
【００３０】
図１３は、収納部１７０を構成する蓋１７１を示す底面図である。図１４は、蓋１７１の縦断面を示す断面図である。
図１３に示すように、蓋１７１は、いずれも平面視略円板形状をなした外側蓋１７１ａと内側蓋１７１ｂとを備えている。
外側蓋１７１ａは、その内側側面に３つの突起部１７１ａ１を有している。各突起部１７１ａ１は、後述する第１ケース１７２ａの外側側面に設けられた受け具１７２ａ１（図１６参照）に係合可能な突起である。各突起部１７１ａ１は、第１ケース１７２ａを蓋１７１で覆った後、蓋１７１を時計まわりに回動させた際に、受け具１７２ａ１と係合するようになっている。これにより、第１ケース１７２ａから蓋１７１が外れないようになっている。
内側蓋１７１ｂは、外側蓋１７１ａの内側に配設される蓋であり、収納部１７０の防水性（気密性）を保持するための蓋となっている。
【００３１】
図１４に示すように、外側蓋１７１ａの中心には丸孔１７１ａ２が設けられるとともに、内側蓋１７１ｂの中心には外側蓋１７１ａの側へ膨出する円柱状の膨出部１７１ｂ１が設けられている。膨出部１７１ｂ１は、外側蓋１７１ａの丸孔１７１ａ２に挿通させることができるようになっている。これにより、膨出部１７１ｂ１を外側蓋１７１ａの丸孔１７１ａ２に挿通させることで、この膨出部１７１ｂ１を回転軸として、外側蓋１７１ａを自由回転させることができるようになっている。
また、図１４に示すように、外側蓋１７１ａの上側であって膨出部１７１ｂ１の周囲を覆う位置に中空円板状の固定用板金１７１ｃが設けられている。固定用板金１７１ｃは、膨出部１７１ｂ１を外側蓋１７１ａの丸孔１７１ａ２に挿通させた状態を維持するための板金であり、固定用板金１７１ｃと内側蓋１７１ｂとにより外側蓋１７１ａを挟み込んだ状態で、固定用板金１７１ｃを介して内側蓋１７１ｂにネジ１７１ｄが固着されている。
さらに、図１４に示すように、固定用板金１７１ｃの上側には、外装部品である円板状の外観板金１７１ｅが設けられている。
【００３２】
図１５は、上述の蓋１７１を取り外した状態の収納部１７０、すなわち筐体１７２を示す平面図である。
図１５に示すように、筐体１７２は、開口型の略円筒形状をなした第１ケース１７２ａと、第１ケース１７２ａの開口を塞ぐとともに二次電池Ｂを載置する円板状をなした第２ケース１７２ｂと、防水パッキン１７２ｃとを備えている。防水パッキン１７２ｃは、円環状をなし、第１ケース１７２ａと第２ケース１７２ｂとの隙間を埋めるようにして設けられている。
【００３３】
次に、防水パッキン１７２ｃの詳細について、図１６及び図１７を用いて説明する。図１６は、通常状態の収納部１７０の部分断面図である。
図１６に示すように、防水パッキン１７２ｃは、防水パッキン１７２ｃの半径方向（図中の左方向）に突出した第１の突起１７２ｃ１と、第１の突起１７２ｃ１に対して垂直上方向（図中の上方向）に突出した第２の突起１７２ｃ２と、第１の突起１７２ｃ１に対して垂直下方向（図中の下方向）に突出した第３の突起１７２ｃ３と、第１の突起１７２ｃ１と１８０度反対の方向（図中の右方向）に突出した第４の突起１７２ｃ４とを有している。第１の突起１７２ｃ１、第２の突起１７２ｃ２、第３の突起１７２ｃ３及び第４の突起１７２ｃ４はそれぞれ防水パッキン１７２ｃの全周に亘って設けられている。
【００３４】
図１６に示すように、外側蓋１７１ａの突起部１７１ａ１が第１ケース１７２ａの受け具１７２ａ１に係合し第１ケース１７２ａが外側蓋１７１ａによって塞がれた際に、第１の突起１７２ｃ１は、内側蓋１７１ｂの内側側面により押しつぶされることで、内側蓋１７１ｂと防水パッキン１７２ｃとの隙間において第１の突起１７２ｃ１の下側から上側へ浸入しようとする水を防ぐことができるようになっている。また、第２の突起１７２ｃ２は、内側蓋１７１ｂの底面により押しつぶされることで、内側蓋１７１ｂと防水パッキン１７２ｃとの隙間において第２の突起１７２ｃ２の外側から内側（図中の左側から右側）へ浸入しようとする水を防ぐことができるようになっている。また、収納部１７０の外部の圧力が高まった場合（例えば、水圧が高まった場合等）、内側蓋１７１ｂを外側から内側へ押す力が増加することとなり、内側蓋１７１ｂによる第１の突起１７２ｃ１及び第２の突起１７２ｃ２のつぶし量が増加するため、収納部１７０の防水性が向上することとなる。
【００３５】
また、第１ケース１７２ａが外側蓋１７１ａによって塞がれる際、外側蓋１７１ａを回動させることとなるが、上述したように外側蓋１７１ａは自由回転するようになっているので、外側蓋１７１ａだけが回動し内側蓋１７１ｂは回動しないようになっている。これにより、内側蓋１７１ｂの内側側面に当接する第１の突起１７２ｃ１、及び、底面に当接する第２の突起１７２ｃ２がよじれてしまうことを防止することができるようになっている。
【００３６】
第３の突起１７２ｃ３は、図１６に示すように、防水パッキン１７２ｃ自体が図中の下側へ移動することを規制するための突起となっている。これにより、第１の突起１７２ｃ１が内側蓋１７１ｂの内側側面により押された際に、防水パッキン１７２ｃ自体が図中の下側へ移動することを抑制することができ、第１の突起１７２ｃ１が図中の下側へ倒れることを抑制することができるようになっている。
【００３７】
第４の突起１７２ｃ４は、第１ケース１７２ａと第２ケース１７２ｂとの隙間に嵌め込むための突起となっている。これにより、内側蓋１７１ｂ（蓋１７１）が取り外される際に、防水パッキン１７２ｃも一緒に外れてしまうことを抑制することができるようになっている。
【００３８】
図１７は、収納部１７０の外部に比べて内部の圧力が高まった状態の収納部１７０の部分断面図である。
図１６及び図１７に示すように、外側蓋１７１ａと内側蓋１７１ｂとの間には、内側蓋１７１ｂを変形させることができる程度の空間が設けられており、収納部１７０の外部に比べて内部の圧力が高まった場合、内側蓋１７１ｂが内側から押され反るように変形することとなる。これにより、防水パッキン１７２ｃの第１の突起１７２ｃ１及び第２の突起１７２ｃ２がそれぞれ内側蓋１７１ｂから離れると、収納部１７０の内部の圧力が外部へ逃げるようになっている。そして、収納部１７０の内部の圧力が低下すると、内側蓋１７１ｂが元の形状（図１６参照）に戻るようになっている。このように、防水パッキン１７２ｃの第１の突起１７２ｃ１及び第２の突起１７２ｃ２がそれぞれ内側蓋１７１ｂから離れる前後の収納部１７０の内部の圧力は外部の圧力よりも高いため、収納部１７０の外部から内部へ水が浸入することはなく、防水性が維持されるようになっている。
【００３９】
なお、外側蓋１７１ａは、内側蓋１７１ｂとは異なり収納部１７０を密閉する機能を有しておらず、収納部１７０の内部の圧力が直接かからないため、この内部の圧力によっては変形しないようになっている。また、収納部１７０の外部に比べて内部の圧力が高まり、内側蓋１７１ｂが上述のように変形した場合であっても、外側蓋１７１ａの突起部１７１ａ１が第１ケース１７２ａの受け具１７２ａ１に係合した状態で外側蓋１７１ａが第１ケース１７２ａに固定されているので、外側蓋１７１ａが外れないようになっている。
【００４０】
以上のように、本実施形態のカメラ１は、開口部１５０を有するカメラ本体１００と、カメラ本体１００の開口部１５０を閉じるように設けられる防水膜１４０と、防水膜１４０の直上に設けられ、防水膜１４０にかかる流体の噴流による動圧を低減する減圧部１３１と、を備えたこととなるので、防水膜１４０に流体の噴流が直撃することによる防水膜１４０の破損を抑制することができる。
【００４１】
また、本実施形態のカメラ１によれば、減圧部１３１は、スリット１３１ａ１が形成された底板部１３１ａを備えているので、減圧部１３１の上方から流体の噴流が発生した場合、この噴流による動圧を低減することができ、防水膜１４０に流体の噴流が直撃することによる防水膜１４０の破損を抑制することができる。
【００４２】
また、本実施形態のカメラ１によれば、減圧部１３１は、スリット１３１ａ１の真上に配設され、スリット１３１ａ１を遮る櫛歯１３１ｃを備えたこととなる。このため、減圧部１３１の上方から流体の噴流が発生した場合、この噴流はまず櫛歯１３１ｃの天面に当たり動圧が分散されることとなるので、防水膜１４０に到達する前に噴流の流速を減少させることができる。これにより、防水膜１４０に流体が当たることで発生する圧力を減少させることができ、防水膜１４０に流体の噴流が直撃することによる防水膜１４０の破損を一層抑制することができる。
【００４３】
また、本実施形態のカメラ１によれば、カメラ本体１００を覆う保護部材２００をさらに備えるので、防水膜１４０に流体の噴流が直撃することを軽減することができ、防水膜１４０に流体の噴流が直撃することによる防水膜１４０の破損をより一層抑制することができる。
【００４４】
また、本実施形態のカメラ１によれば、減圧部１３１を有することにより、防水膜１４０に流体の噴流が直撃することを防止することができ、防水膜１４０の厚みを薄くすることができる。これにより、スピーカＳからの音を防水膜１４０で振動させやすくすることができるので、スピーカＳから出力される音の音質の低下を防止することができる。
【００４５】
また、本実施形態のカメラ１によれば、カメラ本体１００を覆う保護部材２００を備え、保護部材２００には、スピーカＳからの音を外部へ通す貫通孔２２２ａが形成されているので、スピーカＳからの音を外部に好適に出力することができる。
【００４６】
また、本実施形態のカメラ１によれば、保護部材２００は、第１の材料（例えば、ウレタン）で形成される外側保護部材２１０と、第１の材料よりも剛性の高い第２の材料（例えば、ポリカーボネートや金属等）で形成される内側保護部材２２０と、を備え、外側保護部材２１０は、カメラ１の外側に設けられ、内側保護部材２２０は、外側保護部材２１０の内側に設けられ、貫通孔２２２ａは、内側保護部材２２０の外側保護部材２１０により覆われている面と外側保護部材２１０により覆われていない面とを貫通するように穿設されたこととなるので、スピーカＳからの音を外部により好適に出力することができる。
【００４７】
なお、本発明は、上記実施形態に限定されることなく、本発明の趣旨を逸脱しない範囲において、種々の改良並びに設計の変更を行っても良い。
例えば、上記実施形態にあっては、第１バンパー部２１１の下方には、スピーカＳを配設するようにしたが、例えば、センサ（気圧センサ、ガスセンサ、温度センサ等）や、その他の電子部品が配設されるようにしても良い。
【００４８】
また、上記実施形態にあっては、減圧部１３１は、底板部１３１ａに複数（例えば、５つ）のスリット１３１ａ１が形成され、各スリット１３１ａ１の真上に鉤状の櫛歯１３１ｃがそれぞれ配設される構造としたが、この構造は一例に過ぎず、防水膜１４０に流体の噴流が直撃することを防止可能であれば他の構造であっても良い。例えば、防水膜１４０の垂線方向と直角をなす方向に開口を設け、当該開口を通過した流体のみが上記の各スリット１３１ａ１を通過する構造としても良い。また、上記の各スリット１３１ａ１の真上に各スリット１３１ａ１を遮る格子状のカバー部材を配設するようにしても良い。また、減圧部１３１の両側から２つの平板部材が互い違いとなるように、当該平板部材を配設するようにしても良い。また、隣り合う櫛歯１３１ｃにより形成される隙間の真上に、さらに櫛歯１３１ｃを配設するようにしても良い。
【００４９】
また、上記実施形態にあっては、外側蓋１７１ａと内側蓋１７１ｂとは、外側蓋１７１ａが内側蓋１７１ｂの膨出部１７１ｂ１を回転軸として自由回転可能に結合されるようにしたが、上述した外側蓋１７１ａと内側蓋１７１ｂとの構造は一例に過ぎず、外側蓋１７１ａと内側蓋１７１ｂとは必ずしも結合されている必要はない。
【００５０】
以上、本発明の実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
開口部を有する外部ケースと、
前記外部ケースの前記開口部を閉じるように設けられる防水膜と、
前記防水膜の直上に設けられ、前記防水膜にかかる流体の噴流による動圧を低減する減圧部と、
を備えることを特徴とする防水構造。
＜請求項２＞
前記減圧部は、
スリットが形成された底板部を備えることを特徴とする請求項１に記載の防水構造。
＜請求項３＞
前記減圧部は、
前記スリットの真上に配設され、前記スリットを遮る部材を備えることを特徴とする請求項２に記載の防水構造。
＜請求項４＞
前記スリットを遮る部材は、複数の櫛歯により構成される部材であることを特徴とする請求項３に記載の防水構造。
＜請求項５＞
前記減圧部は、
隣り合う前記櫛歯により形成される各隙間の真上に、前記各隙間を遮る複数の櫛歯により構成される部材をさらに備えることを特徴とする請求項４に記載の防水構造。
＜請求項６＞
前記スリットを遮る部材は、格子状の部材であることを特徴とする請求項３に記載の防水構造。
＜請求項７＞
前記スリットを遮る部材は、前記減圧部の側方から互い違いとなるように配設された複数の平板部材であることを特徴とする請求項３に記載の防水構造。
＜請求項８＞
前記減圧部は、
前記防水膜の垂線方向と直角をなす方向に、前記スリットに連設する開口部を備えることを特徴とする請求項２に記載の防水構造。
＜請求項９＞
前記外部ケースを覆う保護部材をさらに備えることを特徴とする請求項１〜８のいずれか一項に記載の防水構造。
＜請求項１０＞
請求項１〜９のいずれか一項に記載の防水構造を備えることを特徴とする電子機器。
＜請求項１１＞
前記防水膜を介して前記減圧部が設けられる側とは反対側にスピーカを備えることを特徴とする請求項１０に記載の電子機器。
＜請求項１２＞
前記外部ケースを覆う保護部材を備え、
前記保護部材には、前記スピーカからの音を外部へ通す貫通孔が形成されていることを特徴とする請求項１１に記載の電子機器。
＜請求項１３＞
前記保護部材は、第１の材料で形成される第１の部材と、前記第１の材料よりも剛性の高い第２の材料で形成される第２の部材と、を備え、
前記第１の部材は、当該電子機器の外側に設けられ、
前記第２の部材は、前記第１の部材の内側に設けられ、
前記貫通孔は、前記第２の部材の前記第１の部材により覆われている面と前記第１の部材により覆われていない面とを貫通するように穿設されている、
ことを特徴とする請求項１２に記載の電子機器。
【符号の説明】
【００５１】
１  カメラ
１００  カメラ本体
１１０  レンズカバー
１３０  押さえ部材
１３１  減圧部
１３１ａ  底板部
１３１ａ１  スリット
１３１ｂ  囲い壁部
１３１ｃ  櫛歯
１４０  防水膜
１５０  開口部
１７０  収納部
１７１  蓋
１７１ａ  外側蓋
１７１ｂ  内側蓋
１７２  筐体
１７２ａ  第１ケース
１７２ｂ  第２ケース
１７２ｃ  防水パッキン
１７２ｃ１  第１の突起
１７２ｃ２  第２の突起
１７２ｃ３  第３の突起
１７２ｃ４  第４の突起
２００  保護部材
２１０  外側保護部材
２１１  第１バンパー部
２１２  第２バンパー部
２１３  ネジ止め部
２２０  内側保護部材
２２１  ベース部
２２１ａ  リブ
２２２  バンパーインナー
２２２ａ  貫通孔
Ｂ  二次電池
Ｍ  マイク
Ｓ  スピーカ
【図１】
2019054410.tif 000003
【図２】
2019054410.tif 000004
【図３】
2019054410.tif 000005
【図４】
2019054410.tif 000006
【図５】
2019054410.tif 000007
【図６】
2019054410.tif 000008
【図７】
2019054410.tif 000009
【図８】
2019054410.tif 000010
【図９】
2019054410.tif 000011
【図１０】
2019054410.tif 000012
【図１１】
2019054410.tif 000013
【図１２】
2019054410.tif 000014
【図１３】
2019054410.tif 000015
【図１４】
2019054410.tif 000016
【図１５】
2019054410.tif 000017
【図１６】
2019054410.tif 000018
【図１７】
2019054410.tif 000019